(57)【特許請求の範囲】
【請求項１】
生活の原点となる住居地点から、通勤先や通学先などの時間的拘束を受ける地点へと利用者が向かうオン方向通過信号を検知し、同様に前記時間的拘束を受ける地点から前記住所地点へと向かうオフ方向通過信号を検知して、前記利用者の有する利用端末に所定情報を配信する情報配信システムであって、
前記所定情報として、吉凶に関する複数の吉凶情報ともに該吉凶情報に対応させて該吉凶情報に共感や同感を示す言葉、前記利用者を悟す言葉、前記利用者に決意を促すきっかけ後及び前記利用者を激励する言葉を吉事に関する情報か凶事に関する情報かを区別して記憶する吉凶情報記憶手段と、
前記利用者が公共交通機関を利用するために所持する乗車券が公共交通機関に設置されたパスゲートを通過した際、前記乗車券に記憶されている当該乗車区間等の乗車券情報に基づいて前記利用者が前記オン方向に向かうオン方向通過信号或いは前記オフ方向に向かうオフ方向通過信号を当該年月日と共に検知するパスゲート手段と、
前記パスゲート手段が検知したオン方向通過信号或いはオフ方向通過信号を当該年月日と共に受信する受信手段と、
前記受信手段が前記オン方向通過信号を受信した場合には、当該受信年月日に対応する吉凶情報を前記吉凶情報記憶手段から抽出する吉凶情報抽出手段と、
前記受信手段がオン方向通過信号を抽出した場合において、前記吉凶情報抽出手段によって抽出した前記吉凶情報が吉事情報か凶事情報かを判断して、前記抽出した吉凶情報が吉事情報の場合には、前記吉凶情報記憶手段から該吉凶情報に共感や同調を示す言葉、前記利用者に決意を促すきっかけ語及び前記利用者を激励する言葉を抽出して吉事を示す前記吉凶情報に付与し、抽出した前記吉凶情報が凶事であった場合には、前記吉凶情報記憶手段から該吉凶情報に対応して前記利用者を悟す言葉、前記利用者に決意を促すきっかけ語及び前記利用者を激励する言葉を抽出して凶事を示す前記吉凶情報に付与し、前記利用者の活力を育むための精神的活力活性情報として作成する精神的活力活性情報作成手段と、
前記精神的活力活性情報作成手段によって作成された前記精神的活力活性情報を前記利用者端末に配信する情報送信手段と、
を有することを特徴とする情報配信システム。
【請求項２】
生活の原点となる住居地点から、通勤先や通学先などの時間的拘束を受ける地点へと利用者が向かうオン方向通過信号を検知し、同様に前記時間的拘束を受ける地点から前記住所地点へと向かうオフ方向通過信号を検知して、前記利用者の有する利用端末に所定情報を配信する情報配信システムであって、
前記所定情報として、吉凶に関する複数の吉凶情報ともに該吉凶情報に対応させて該吉凶情報に共感や同感を示す言葉、前記利用者を悟す言葉、前記利用者に決意を促すきっかけ後及び前記利用者を激励する言葉を吉事に関する情報か凶事に関する情報かを区別して記憶する吉凶情報記憶手段と、
前記利用者が自ら運転する移動体の動力が始動した際または該移動体が移動を開始した後に、その時間帯または該移動体の移動経路、現在位置などに基づいて前記利用者が前記オン方向に向かうオン方向通過信号或いは前記オフ方向に向かうオフ方向通過信号を当該年月日と共に検知するパスゲート手段と、
前記パスゲート手段が検知したオン方向通過信号或いはオフ方向通過信号を当該年月日と共に受信する受信手段と、
前記受信手段がオン方向通過信号を受信した場合には、当該受信年月日に対応する吉凶情報を前記吉凶情報記憶手段から抽出する吉凶情報抽出手段と、
前記受信手段が受信したオン方向通過信号を受信した場合において、前記吉凶情報抽出手段によって抽出した前記吉凶情報が吉事情報か凶事情報かを判断して、前記抽出した吉凶情報が吉事情報の場合には、前記吉凶情報記憶手段から該吉凶情報に共感や同調を示す言葉、前記利用者に決意を促すきっかけ語及び前記利用者を激励する言葉を抽出して吉事を示す前記吉凶情報に付与し、抽出した前記吉凶情報が凶事であった場合には、前記吉凶情報記憶手段から該吉凶情報に対応して前記利用者を悟す言葉、前記利用者に決意を促すきっかけ語及び前記利用者を激励する言葉を抽出して凶事を示す前記吉凶情報に付与し、前記利用者の活力を育むための精神的活力活性情報として作成する精神的活力活性情報作成手段と、
前記精神的活力活性情報作成手段によって作成された前記精神的活力活性情報を前記利用者端末に配信する情報送信手段と、
を有することを特徴とする情報配信システム。
【請求項３】
前記吉凶情報記憶手段は、前記利用者の労をねぎらう言葉をさらに記憶し、
前記精神的活力活性情報作成手段は、前記受信手段が前記オフ方向通過信号を受信した場合には、当該受信日の前記利用者の労をねぎらう言葉を含む精神的活力活性情報として作成し、
前記情報送信手段は、前記吉凶情報作成手段が作成した前記精神的活力活性情報を前記利用者端末に送信することを特徴とする請求項１または２に記載の情報配信システム。
【請求項４】
前記吉凶情報抽出手段は、前記受信手段が受信した前記オフ方向通過信号を抽出した場合には、当該受信した日の翌日の前記吉凶情報を前記吉凶情報記憶手段から抽出することを特徴とする請求項１または２に記載の情報配信システム。
【請求項５】
前記情報送信手段によって配信された前記精神的活力活性情報を記憶する配信情報記憶手段をさらに有し、
前記吉凶情報抽出手段は、前記受信手段が前記オン方向通過信号を受信した際に、前記配信情報記憶手段に当該受信年月日に対応する前記吉凶情報が存在するか否かを判断し、存在した場合には、前記配信情報記憶手段に記憶する前記吉凶情報を抽出し、
前記吉凶情報作成手段は、前記吉凶情報抽出手段によって前記配信情報記憶手段に記憶する前記吉凶情報が抽出された場合には、当該吉凶情報に基づいて前記精神的活力活性情報を作成することを特徴とする請求項４に記載する情報配信システム。
【請求項６】
前記利用者個人に関する生年月日等の個人属性情報を記憶する個人属性情報記憶部をさらに有し、
前記吉凶情報抽出手段は、前記吉凶情報記憶手段が記憶する個人属性情報に基づいて前記吉凶情報を抽出することを特徴とする請求項１から５のいずれかに記載の情報配信システム。
【請求項７】
生活の原点となる住居地点から、通勤先や通学先などの時間的拘束を受ける地点へと利用者が向かうオン方向通過信号を検知し、同様に前記時間的拘束を受ける地点から前記住所地点へと向かうオフ方向通過信号を検知して、前記利用者の有する利用端末に所定情報を配信する情報配信方法であって、
前記所定情報として、吉凶に関する複数の吉凶情報ともに該吉凶情報に対応させて該吉凶情報に共感や同感を示す言葉、前記利用者を悟す言葉、前記利用者に決意を促すきっかけ後及び前記利用者を激励する言葉を吉事に関する情報か凶事に関する情報かを区別して吉凶情報記憶手段が記憶し、
次に、前記利用者が公共交通機関を利用するために所持する乗車券が公共交通機関に設置されたパスゲートを通過した際、前記乗車券に記憶されている当該乗車区間等の乗車券情報に基づいて前記利用者が前記オン方向に向かうオン方向通過信号或いは前記オフ方向に向かうオフ方向通過信号を当該年月日と共にパスゲート手段が検知し、
次に、前記パスゲート手段が検知したオン方向通過信号或いはオフ方向通過信号を当該年月日と共に受信手段が受信し、
次に、前記受信手段が前記オン方向通過信号を受信した場合には、当該受信年月日に対応する吉凶情報を前記吉凶情報記憶手段から吉凶情報抽出手段が抽出し、
次に、前記受信手段が受信したオン方向通過信号を受信した場合において、精神的活力活性情報作成手段が、前記吉凶情報抽出手段によって抽出した前記吉凶情報が吉事情報か凶事情報かを判断して、前記抽出した吉凶情報が吉事情報の場合には、前記吉凶情報記憶手段から該吉凶情報に共感や同調を示す言葉、前記利用者に決意を促すきっかけ語及び前記利用者を激励する言葉を抽出して吉事を示す前記吉凶情報に付与し、抽出した前記吉凶情報が凶事であった場合には、前記吉凶情報記憶手段から該吉凶情報に対応して前記利用者を悟す言葉、前記利用者に決意を促すきっかけ語及び前記利用者を激励する言葉を抽出して凶事を示す前記吉凶情報に付与し、前記利用者の活力を育むための精神的活力活性情報として作成し、
次に、前記精神的活力活性情報作成手段によって作成された前記精神的活力活性情報を前記利用者端末に情報送信手段が配信する、
を有することを特徴とする情報配信方法。
【請求項８】
生活の原点となる住居地点から、通勤先や通学先などの時間的拘束を受ける地点へと利用者が向かうオン方向通過信号を検知し、同様に前記時間的拘束を受ける地点から前記住所地点へと向かうオフ方向通過信号を検知して、前記利用者の有する利用端末に所定情報を配信する情報配信方法であって、
前記所定情報として、吉凶に関する複数の吉凶情報ともに該吉凶情報に対応させて該吉凶情報に共感や同感を示す言葉、前記利用者を悟す言葉、前記利用者に決意を促すきっかけ後及び前記利用者を激励する言葉を吉事に関する情報か凶事に関する情報かを区別して吉凶情報記憶手段が記憶し、
次に、前記利用者が自ら運転する移動体の動力が始動した際または該移動体が移動を開始した後に、その時間帯または該移動体の移動経路、現在位置などに基づいて前記利用者が前記オン方向に向かうオン方向通過信号或いは前記オフ方向に向かうオフ方向通過信号を当該年月日と共にパスゲート手段が検知し、
次に、前記パスゲート手段が検知したオン方向通過信号或いはオフ方向通過信号を当該年月日と共に受信手段が受信し、
次に、前記受信手段が前記オン方向通過信号を受信した場合には、当該受信年月日に対応する吉凶情報を前記吉凶情報記憶手段から吉凶情報抽出手段が抽出し、
次に、前記受信手段が前記オン方向通過信号を受信した場合において、前記精神的活力活性情報作成手段が、前記吉凶情報抽出手段によって抽出した前記吉凶方法が吉事情報か凶事情報かを判断して、前記抽出した吉凶情報が吉事情報の場合には、前記吉凶情報記憶手段から該吉凶情報に共感や同調を示す言葉、前記利用者に決意を促すきっかけ語及び前記利用者を激励する言葉を抽出して吉事を示す前記吉凶情報に付与し、抽出した前記吉凶情報が凶事であった場合には、前記吉凶情報記憶手段から該吉凶情報に対応して前記利用者を悟す言葉、前記利用者に決意を促すきっかけ語及び前記利用者を激励する言葉を抽出して凶事を示す前記吉凶情報に付与し、前記利用者の活力を育むための精神的活力活性情報として作成し、
前記精神的活力活性情報作成手段によって作成された前記精神的活力活性情報を情報送信手段が前記利用者端末に配信する、
ことを特徴とする情報配信方法。
【請求項９】
前記吉凶情報記憶手段は、前記利用者の労をねぎらう言葉をさらに記憶し、
前記精神的活力活性情報作成手段は、前記受信手段が前記オフ方向通過信号を受信した場合には、当該受信日の前記利用者の労をねぎらう言葉を精神的活力活性情報として作成し、
前記情報送信手段は、前記精神的活力活性情報作成手段が作成した前記精神的活力活性情報を前記利用者端末に送信することを特徴とする請求項７又は８に記載の情報配信方法。
【請求項１０】
前記吉凶情報抽出手段は、前記受信手段が受信した前記オフ方向通過信号を抽出した場合には、当該受信した日の翌日の前記吉凶情報を前記吉凶情報記憶手段から抽出することを特徴とする請求項６又は８に記載の情報配信方法。
【請求項１１】
前記情報送信手段によって配信された前記精神的活力活性情報を記憶する配信情報記憶手段をさらに有し、
前記吉凶情報抽出手段は、前記受信手段が前記オン方向通過信号を受信した際に、前記配信情報記憶手段に当該受信年月日に対応する前記吉凶情報が存在するか否かを判断し、存在した場合には、前記配信情報記憶手段に記憶する前記吉凶情報を抽出し、
前記吉凶情報作成手段は、前記吉凶情報抽出手段によって前記配信情報記憶手段に記憶する前記吉凶情報が抽出された場合には、当該吉凶情報に基づいて前記精神的活力活性情報を作成することを特徴とする請求項１０に記載する情報配信方法。
【請求項１２】
前記利用者個人に関する生年月日等の個人属性情報を記憶する個人属性情報記憶部をさらに有し、
前記吉凶情報抽出手段は、前記吉凶情報記憶手段が記憶する個人属性情報に基づいて前記吉凶情報を抽出することを特徴とする請求項７から１１のいずれかに記載の情報配信方法。
【発明の詳細な説明】
【０００１】
【発明の属する技術分野】
本発明は情報配信、特にパスゲートを通過した利用者を対象とする情報配信システム及び方法に関する。
【０００２】
【従来の技術】
パスゲートを通過する利用者に情報を配信する先行技術として、特開平８−０１８５１３号公報が挙げられる。この先行技術では、鉄道の駅に設置される自動改札機を通過した利用者の持つ携帯端末に対して情報が配信される。
【０００３】
また、娯楽や癒しを目的とした情報を配信する先行技術として、特開２００２−０４１６７１号公報が挙げられる。この先行技術では、医療・療養等の施設において、患者や療養者ごとにそのベットや近傍に情報端末を設置し、医師やナースセンターなどの医療関係者や、患者や療養者の近親者などとを結ぶシステムとしている。端末を介したコミュニケーションが患者や療養者にポジティブな感情を起こすとしている。
【０００４】
また、心の癒しを目的とする情報端末の先行技術としては、ペットの形を模したペットロボットや据え置き型の玩具などがある。これらは、利用者個人を識別して個別の対応をしたり、環境の変化を取得して出力情報を変化させたりしている。
【０００５】
【発明が解決しようとする課題】
人が悩むとき、また悩みを誰かに聞いて欲しいときというのは、その答えに迷っているのではなく、自らはどうすべきかが判っているのに、踏ん切りがつかないことがほとんどであると言われている。
【０００６】
このようなときに必要な親切（システムにとってはサービス）とは、悩んでいる本人のいわゆる背中を押してあげることであって、ただ慰めたり、癒したりすることではない。しかも的確なタイミングが必要でもある。
【０００７】
ところが、情報提供をサービスとするこれまでの情報配信システムの観点は、例えば利用者を退屈させないような楽しみや驚きであったり、また例えば利用者の心を癒す安らぎや慰めであったりして、より安易な方へ導けば利用者にとって便利だろうと勘違いしている節がある。
【０００８】
この世の中、思い通りにいくことばかりではなく、むしろ思い通りにいかないことの方が多いようである。そのような環境の中で、利用者を安易な方へと導けば、結局、行き詰まりやすくなってしまう。そうであるなら「利用者に気持ちよく我慢してもらえれば、それもサービス」とするくらいの一種の割りきりとも言える観点がこれまでの情報配信システムには欠けているという問題点があった。
【０００９】
ここでは快楽や癒しが悪いと言っているわけではない。人は容易に挫けやすいものであり、むしろ快楽や癒しを起点にしながらも、目の前の困難さに立ち向かうような決意を促す配慮がこれまでの情報配信システムに欠けていたことを言う。
【００１０】
また、我々のような人間社会で暮らす人々の多くは、仕事の場や勉学の場に日々、通っている。このような通勤先や通学先とは我々にとって時間的拘束を受ける場所であり、さらに時間的拘束を受ける者同士が集まるともなれば、さらに多くの我慢を必要とするのは必然である。
【００１１】
ところが、このような通勤先や通学先などは時間的拘束を受ける場所ではあっても、そこへ行かなくてはならないという一種の義務感があり、我々を憂鬱な気分にさせることがある。だからと言って、例えば「いいよ、いいよ」などと慰めていては、社会そのものが成り立たない。また、我々の方も例えば「行きたくないなぁ」などと憂鬱な気分になったとしても、必ず心のどこかで「行かなくてはならない」と感じているわけであり、その罪悪感めいたものが精神安定上好ましくないという問題点があった。
【００１２】
ましてやこの場合、「いいよ、いいよ。行かなくても」などと現実逃避を肯定してしまうなどは、言語道断であるとも言える。よって、人の挫けやすさを支えながらも決して現実逃避とならないように決意を促すべく、背中を押すようなタイミングが重要となる。つまり、これまでの情報配信システムでは、このような時間的拘束を受ける場所へ向かう利用者に対して、的確なタイミングでいわば利用者の背中をトンと押すような情報配信をするという配慮が欠けているという問題点があった。
【００１３】
【課題を解決するための手段】
よく周りの人から、聞き上手だと言われる人がいる。この人たちに共通することは意外にも、話を聞いて欲しいと思う相手を慰めたり、癒したりすることではない。聞き上手の聞き上手たる所以は、話を聞いて欲しいと思う相手が今、何を望んでいるのかを例えば「うん、うん」などと頷きながら感覚的に聞き分けて、そのツボとも言うべき相手が望んでいる何かについて、まるで背中をトンと押すがごとく助言を与えることにある。
【００１４】
喩えて言うなら、口では「そうしたくない」と悩みを語る人も無意識にかもしれないが、実は「そうしなければならない」ことくらいは判っていて、いわば自らの内にその答えはあるのに、それがなかなか認められないから悩むのである。より具体的には、「そうしなければならないことは判っているんだけど。だけどねぇ」と語る人は、すでに「そうしなければならない」ことを本人が認めている。このような場合、ただその理由が見つからないだけなのか、最後の決心が出来ないだけなのかのどちらかであることが多い。つまり、迷いがある人に対しては、その人自身が自らを納得させられるような「それらしい」理由づけを、その人が「やっぱりそうだな」と思えるような言い方と適切なタイミングでこちらが語るだけで十分である。
【００１５】
本発明の本質は、時間的拘束される場所へ向かう利用者を検知すると、良いことも悪いこともあらかじめ必然的に含む吉凶に関する情報を用いて「（世の中というものは、結局）そういうものだ」というメッセージを込めた情報を作成し、利用者の有する端末に配信することによって、利用者の心に生じるちょっとした迷いを、利用者自らが「やっぱりそうだな」と思えるような利用者自身の割り切りで断ち、迷いを自ら断つことによって生じる活力を利用者から引き出すことである。
【００１６】
吉凶に関する情報を用いて作成する情報は、結果として利用者の精神的活力を増す方向に作用するので、本発明では「精神的活力活性情報」と定義する。
【００１７】
ここで言うところの吉凶とは、縁起の良いことと悪いこととか、吉事と凶事などと言われるような、世の常を表す言葉である。慣用句にも「吉凶はあざなえる縄のごとし」というものがある。つまり、吉凶には良いことも悪いことも必然的に含まれていていることを人は感覚的に知っており、その結果に一喜一憂するよりも「そういうものだ」と納得しやすいという効力がある。
【００１８】
なお、吉凶情報の具体例としては、例えばおみくじや占いなどがある。おみくじとは本来、神仏に祈願して、事の吉凶を占うくじのことであるが、システムの処理としてはあらかじめ用意された吉凶に関する情報を抽出するものと解釈できる。また占いとは個人の属性情報に基づいて、未来の吉凶を予測することであり、システムの処理としては利用者個人の個人属性情報に基づいて吉凶に関する情報を抽出するものと解釈できる。代表的な占いである星占いでは、個人が生まれた時における天体の配置や星座（黄道十二宮）に基づいた運勢（運・不運のめぐりあわせのこと）を占っており、生年月日がこの個人属性情報に相当する。
【００１９】
本発明は、生活の原点となる住居地点から、通勤先や通学先などの時間的拘束を受ける地点へと利用者が向かうオン方向通過信号を検知し、同様に前記時間的拘束を受ける地点から前記住所地点へと向かうオフ方向通過信号を検知して、前記利用者の有する利用端末に所定情報を配信する場合、前記所定情報として、吉凶に関する複数の吉凶情報ともに該吉凶情報に対応させて該吉凶情報に共感や同感を示す言葉、前記利用者を悟す言葉、前記利用者に決意を促すきっかけ後及び前記利用者を激励する言葉を吉事に関する情報か凶事に関する情報かを区別して吉凶情報記憶手段が記憶し、次に、前記利用者が公共交通機関を利用するために所持する乗車券が公共交通機関に設置されたパスゲートを通過した際、前記乗車券に記憶されている当該乗車区間等の乗車券情報に基づいて前記利用者が前記オン方向に向かうオン方向通過信号或いは前記オフ方向に向かうオフ方向通過信号を当該年月日と共にパスゲート手段が検知し、次に、前記パスゲート手段が検知したオン方向通過信号或いはオフ方向通過信号を当該年月日と共に受信手段が受信し、次に、前記受信手段が前記オン方向通過信号を受信した場合には、当該受信年月日に対応する吉凶情報を前記吉凶情報記憶手段から吉凶情報抽出手段が抽出し、次に、前記受信手段が受信したオン方向通過信号を受信した場合において、精神的活力活性情報作成手段が、前記吉凶情報抽出手段によって抽出した前記吉凶情報が吉事情報か凶事情報かを判断して、前記抽出した吉凶情報が吉事情報の場合には、前記吉凶情報記憶手段から該吉凶情報に共感や同調を示す言葉、前記利用者に決意を促すきっかけ語及び前記利用者を激励する言葉を抽出して吉事を示す前記吉凶情報に付与し、抽出した前記吉凶情報が凶事であった場合には、前記吉凶情報記憶手段から該吉凶情報に対応して前記利用者を悟す言葉、前記利用者に決意を促すきっかけ語及び前記利用者を激励する言葉を抽出して凶事を示す前記吉凶情報に付与し、前記利用者の活力を育むための精神的活力活性情報として作成し、次に、前記精神的活力活性情報作成手段によって作成された前記精神的活力活性情報を前記利用者端末に情報送信手段が配信するようにした。
【００２０】
利用者が時間的拘束を受ける場所にまさに向かわんとしている、その時を検知して、吉凶情報を用いて作成した精神的活力活性情報を利用者の有する利用者端末に送信する。利用者が時間的拘束を受ける場所にまさに向かわんとしている方向とは、利用者にとって精神的活力を必要とする方向のことであり、利用者が自らの気合のスイッチを入れるかのように表現されることもあるので、オン方向と定義する。同様にオン方向と逆向きの方向をオフ方向と定義する。
【００２１】
オン／オフ方向の検知はパスゲートを用いるとよい。ここで言うところのパスゲートとは、人とシステムの接点のことであり、例えば利用者を認識、もしくは利用者認証媒体や利用者端末を用いて利用者を認識して、その認識情報をシステムへ送信する。パスゲートの具体例としては公共交通機関駅の構内などに設置される自動改札などの街のインフラ（産業基盤である社会資本のことであり、生活関連の社会資本を含む）として設置されたものや、公共交通機関の移動体や利用者が自ら運転する乗用車などの利用者が移動手段として用いる車両そのものなどがある。つまり、パスゲートとしては利用者の認識とその進行方向がオン方向であるかオフ方向であるかを検知できればその手段を問わない。
【００２２】
また、前記利用者が前記オフ方向へ通過したことを示す通過信号を通過信号受信手段に受信すると、受信した翌日の前記利用者に関する翌日吉凶情報を前記吉凶情報データベースより取得し、取得した前記翌日吉凶情報から前記利用者の活力を育む精神的活力情報を作成して、前記利用者端末に配信するようにしてもよい。
【００２３】
これは、オフ方向を検知した場合には、次回のオン方向へ備えるために翌日のオン方向に関する精神的活力活性情報を作成して、利用者の有する利用者端末に送信することを示している。なお、通勤先や通学先などの時間的拘束を受ける場所へと利用者が向かうのは日祭日（場合によっては土曜日も）を除く場合が多いので、あらかじめ向かわない日がわかっていれば、その日を除いた日で「昨日（前日）、今日（当日）、明日（翌日）」という連続する日を形成とするとよい。
【００２４】
また、前記通過信号受信手段が前記オフ方向へ通過したことを示す通過信号を受信すると、さらに、受信した当日の労をねぎらう言葉を作成して、前記精神的活力活性情報とともに、前記利用者端末に配信するようにしてもよい。
【００２５】
人は挫けやすいものであるので、活力を消耗した時には、まずその（活力を消耗した行為への）労をねぎらう言葉を先に配置する心配りが重要となる。よって、本発明における吉凶情報に基づく精神的活力活性情報を配信する際に、利用者がオフ方向へ向かっている場合を検知した場合には、労をねぎらう言葉を加えるとよいことになる。
【００２６】
また、前記利用者端末へ配信した配信情報を配信情報データベースに記憶し、前記配信情報データベースに、前記利用者端末に前日配信したと記憶される、前記翌日吉凶情報から作成した前記精神的活力活性情報がある場合には、前日に配信した前記精神的活力活性情報に基づく、新たな前記精神的活力活性情報を作成して、前記利用者端末に配信するようにしてもよい。
【００２７】
これは、前日に利用者がオフ方向への通過を検知した際に配信した翌日の吉凶情報は、本日（つまり、オン方向への通過を検知した当日のこと）の吉凶情報であるはずなので、その矛盾を無くすことを示している。
【００２８】
また、前記利用者個人に関する個人属性情報を個人属性情報データベースに記憶し、前記通過信号受信手段が受信した前記利用者に関する前記個人属性情報を前記個人属性情報データベースから取得し、取得した前記個人属性情報に基づいて、前記吉凶情報を取得するようにしてもよい。
【００２９】
これは、利用者個人の属性情報を用いずに吉凶情報を取得するものの代表例がおみくじであるのに対し、利用者個人の属性情報を用いて吉凶情報を取得するものの代表例が占いであることに配慮して、占いを本発明の吉凶情報とする場合を示している。占いには様々なバリエーションがあり、利用者個人の属性情報とは、その人の生年月日や、その人が生まれ持った先天的な性格や生い立ちによって身についた後天的な性格もしくは好みなどだけでなく、その人の身に付けているものや関心事などに基づいて占うものがある。
【００３０】
なお、本発明における吉凶情報は、利用者が「（それには）良いことも悪いことも必然的に含まれていて当然である」と思えるものであるなら、その種類は問わない。
【００３１】
【発明の実施の形態】
以下に、本発明に係る情報配信システムの具体的実施の形態を図面を参照して詳細に説明する。
【００３２】
図１は、本発明のコンセプトを説明するブロック図である。
【００３３】
同図は、個人属性情報を用いずに吉凶情報を取得して、精神的活力活性情報を作成する場合であり、この場合の吉凶情報の具体例としては、例えばおみくじなどである。同図において、ネットワークサービスシステム１は、パスゲート３を通過した利用者２を検知し、吉凶情報ＤＢ（データベース）４から吉凶情報を取得し、取得した吉凶情報から精神的活力活性情報を作成して、利用者２の持つ利用者端末５に送信する。吉凶情報ＤＢの内容は随時更新されてもよい。
【００３４】
図２は、本発明のコンセプトを説明するブロック図である。
【００３５】
同図は、利用者２に関する個人属性情報に基づいて吉凶情報を抽出して、精神的活力活性情報を作成する場合であり、この情報の吉凶情報の具体例としては、例えば占いなどである。同図において、パスゲート３を通過した利用者２に関して個人属性情報ＤＢ６から個人属性情報を抽出し、抽出した個人属性情報に基づいて吉凶情報ＤＢ４から吉凶情報を抽出する。利用者２に関する個人属性情報はパスゲート通過時ごとに抽出してもよく、この場合にはあらかじめ個人属性情報の抽出が不要となる。なお、図１と同様に、吉凶情報ＤＢの内容は随時更新されてもよい。
【００３６】
図３は、本発明の実施形態におけるオン方向の定義を説明する図である。
【００３７】
同図において、通勤先や通学先などの時間的拘束を受ける場所が、利用者２にとって精神的活力を必要とすることから、その時間的拘束を受ける場所へ向かう方向をオン（利用者２が自らの気合のスイッチを入れる）方向と定義する。同様にオン方向と逆向きの方向をオフ方向と定義する。オフ方向は利用者２にとって、いわば時間的拘束を受ける場所で消耗した精神的活力を回復するための休息の場へ向かうことを意味しているので、一般的にオフ方向は利用者２にとって生活の原点となる住居へ向かう方向に相当する。
【００３８】
図４は、本発明の実施形態を補足するための利用者の心理モデルを説明するブロック図である。
【００３９】
同図において、利用者２は、時間的拘束を受ける場所へは行かなくてはならないという一種の義務感を感じている場合が多く、義務感という精神的圧迫から例えば「わかっちゃいるけどその気にならない」などという気持ちになりやすく、憂鬱な気持ちへとつながっていく。また、その一方でその義務感に対し、「仕方がない」、「しなくてはならないことはわかっている」とも感じており、この両者の気持ちが相反関係となって、利用者２の中で心の葛藤を生むことになる。この相反する関係は利用者２の心に生じるちょっとした迷いになりやすく、しなくてはならないことはわかっている気持ちが、誰かに背中を押して欲しいと思うようになることを示す。
【００４０】
なお、本発明はこの利用者２の「背中を押して欲しい気持ち」に配慮して、人が感覚的に「良いことも悪いこともある」と思える吉凶情報に基づいて、「（世の中というものは、結局）そういうものだ」というメッセージを込めた情報である精神的活力活性情報を作成し、利用者２の有する端末に配信する。この精神的活力活性情報を受け取った利用者２は、心に生じるちょっとした迷いを「やっぱりそうだな」と思えるような利用者２自身の割り切りで断ち、迷いを自ら断つことによって利用者２の内側から生じる活力が引き出される。
【００４１】
図５は、本発明の実施形態におけるオン方向とオフ方向のそれぞれに対する精神的活力活性情報の違いを説明するブロック図である。
【００４２】
同図において、パスゲート３をオン方向に通過した利用者２に対しては、通過を示す信号を受信した当日の利用者２に関する精神的活力活性情報を配信する。オン方向の精神的活力活性情報は、時間的拘束を受ける場所へ向かう利用者２にとって今日を乗り切る精神的活力となることを示す。
【００４３】
また、同図において、パスゲート２をオフ方向に通過した利用者２に対しては、通過を示す信号を受信した翌日の利用者２に関する精神的活力活性情報を配信する。オフ方向の精神的活力活性情報は、休息の場に向かう利用者２にとって精神的安定につながり、時間的拘束を受ける場所で消耗した精神的活力をより回復する効果が期待できるので、明日への精神的な備えとなる。なお、オフ方向の場合には受信した当日の労をねぎらう言葉を添えておくとさらによく、利用者２の精神的安定を増す効果が期待できる。
【００４４】
図６は、本発明の実施形態におけるオン方向とオフ方向のそれぞれに対する配信情報の違いを説明するブロック図である。
【００４５】
同図は、図５に示すオン方向とオフ方向のそれぞれに対する配信情報の違いをパスゲートを含むブロック図で説明したものである。
【００４６】
図７は、本発明の実施形態における前日のオフ方向に対する情報配信があった場合のオン方向の精神的活力活性情報の配信を説明するブロック図である。
【００４７】
同図において、昨日（前日）に利用者２がオフ方向への通過を検知した際に配信した翌日の利用者２に関する吉凶情報を配信情報ＤＢ７に記憶しておき、その配信した情報に基づいてオン方向を示す信号を受信した当日の利用者２に関する精神的活力活性情報を作成する。これは、昨日に利用者２がオフ方向への通過を検知した際に配信した翌日の利用者２に関する吉凶情報は、今日（つまり、オン方向への通過を検知した当日のこと）の吉凶情報であるはずであるので、その矛盾を無くすことを示している。
【００４８】
図８は、本発明の実施形態における吉凶情報から精神的活力活性情報の作成の仕方の具体例を説明するブロック図である。
【００４９】
同図において、吉凶情報が吉事に関する情報の場合には、精神的活力活性情報はまずその吉事に対し共感・同調（同意）を示し、激励につなげる例を示す。なお、吉事に対して共感・同調（同意）し、一度戒（いまし）めてから激励につなげてもよい。また、同図において、吉凶情報が凶事に関する情報の場合には、精神的活力活性情報はまずその凶事に対する悟（さと）しを示し、激励につなげる例を示す。なお、凶事に対して悟し、一度慰（なぐさ）めてから激励につなげてもよい。
【００５０】
図９は、本発明のコンセプトを実現するシステムの全体図を説明するブロック図である。
【００５１】
同図において、利用者２が通過したことを検知するパスゲート３と、ネットワークサービスシステム８からネットワーク９を介して取得した情報を利用者２に伝達する利用者端末５と、望ましくは吉凶情報ＤＢ４と個人属性情報ＤＢ６と配信情報ＤＢ７を有するネットワークサービスシステムサーバ８とから本発明のシステムは構成されている。
【００５２】
図１０は、本発明の実施形態におけるネットワークサービスシステムサーバのハードブロック図である。
【００５３】
同図において、サーバ操作者１０とはネットワークサービスシステムサーバ８の操作者で、サーバの管理（運営、監視、維持などを含む）者のことである。ＨＭ（ヒューマンマシン）入出力部１１とは、ネットワークサービスシステムサーバ８がサーバ操作者１０と種々のやりとりをするための入出力機能を持つ部位である。入力装置としては、例えばキーボード、テンキー、マウス、バーコードリーダなどが該当し、サーバ操作者１０の入力がシステムに対して情報を伝達するものなら、その種類は問わない。また出力装置としては、例えばディスプレイ、プリンタなどが該当し、サーバ操作者１０に対してシステムから情報を伝達できるものなら、その種類は問わない。演算部１２とは、プログラムを実行することによって各機能を駆動、処理するための演算機能を持つ部位であり、一般にＣＰＵ（中央演算装置）で構成される。メモリ部１３とは、演算部１２が実行するプログラムの実行エリアの部位である。通信部１４とは、ネットワーク９を介した外部との通信を制御する部位である。ネットワーク認証部１５とは、ネットワークや外部機器との認証機能を持つ部位である。ＤＢ管理部１６とは、様々なデータ構造とデータ実体を管理する機能を持つ部位である。ＤＢ管理部１６に管理される処理プログラム１７とは、ネットワークサービスシステムサーバ８の利用目的を達成するために必要なプログラムのことであり、ＯＳ（オペレーションシステム）もここに含まれる。同様に吉凶情報ＤＢ４とは、あらかじめネットワークサービスシステムサーバ８が有する吉凶情報を記憶するデータベースのことである。
【００５４】
なお、吉凶情報ＤＢ４に記憶される内容は随時更新されてもよい。同様に個人属性情報ＤＢ６とは、利用者２に関する属性情報を記憶するデータベースのことである。同様に配信情報ＤＢ７とは、利用者端末５に配信した情報の履歴を記憶するデータベースである。同様にその他のプログラム・データ１８とは、上記以外の例えばサーバ操作者１０が使用するワードプロセッサや表計算プログラムなどのアプリケーションソフトウェアやそれらに付随するデータなどが該当する。
【００５５】
図１１は、本発明の実施形態におけるパスゲートのハードブロック図である。同図において、利用者検知媒体１９とは、パスゲート３が利用者２を検知するために用いる媒体であり、詳細については後述する。検知部２０とは、利用者２もしくは利用者検知媒体１９を検知する機能を持つ部位である。送信部２３とは、ネットワークサービスシステムサーバ８に検知した情報を送信する機能を持つ部位である。
【００５６】
図１２は、本発明の実施形態における利用者の有する利用者端末のハードブロック図である。
【００５７】
同図において、ＨＭ（ヒューマンマシン）入出力部２４とは、利用者端末５が利用者２と種々のやりとりをするための入出力機能を持つ部位であり、送受信部２７とは、ネットワーク９を介してネットワークサービスシステムサーバ８と情報の送受信を行う機能を持つ部位である。
【００５８】
図１３は、本発明の実施形態におけるパスゲート、ネットワークサービスシステムサーバ、及び利用者端末の機能ブロック図である。
【００５９】
同図は、図１に示す本発明のコンセプトに対応する。同図において、人とシステムの接点となるパスゲート３は、利用者２もしくは利用者検知媒体に基づいて利用者２を検知する手段、及びその検知結果をネットワークサービスシステムサーバ８に送信する手段を有する。ネットワークサービスシステムサーバ８は、検知結果をパスゲート３から受信する手段と、検知した利用者２に対する吉凶情報を吉凶情報ＤＢ４から抽出する手段と、抽出した吉凶情報から精神的活力活性情報を吉凶情報ＤＢ４から抽出する手段と、抽出した吉凶情報から精神的活力活性情報を作成する手段と、作成した情報を利用者端末５に送信する手段、及び送信した情報を配信情報ＤＢ７に記憶する手段とを有する。利用者端末５は、ネットワークサービスシステムサーバ８から精神的活力活性情報を受信する手段、及び受信した情報をＨＭ出力部に出力する手段を有する。
【００６０】
図１４は、本発明の実施形態におけるパスゲート、ネットワークサービスシステムサーバ、及び利用者端末の演算部のフローチャートである。
【００６１】
同図において、パスゲート３は、利用者２を検知すると（ＳＴ１４０１）、検知した情報をネットワークサービスシステムサーバ８に送信して（ＳＴ１４０２）、処理を終了する。ネットワークサービスシステムサーバ８は、パスゲート３から検知情報を受信すると、検知した利用者２に対する吉凶情報を吉凶情報ＤＢ４から取得し（ＳＴ１４０３）、取得した吉凶情報から精神的活力活性情報を作成し（ＳＴ１４０４）、作成した精神的活力活性情報を利用者端末５に送信し（ＳＴ１４０５）、送信した情報を配信情報ＤＢ７に記憶して（ＳＴ１４０６）、処理を終了する。
【００６２】
図１５は、本発明の実施形態におけるネットワークサービスシステムサーバの演算部のフローチャートである。
【００６３】
同図は、図５及び図６に示すブロック図に対応する。同図において、ネットワークサービスシステムサーバ８は、利用者２の検知を示す信号を受信すると（ＳＴ１５０１）、利用者２の通過方向はオン方向かオフ方向かを判定し（ＳＴ１５０２）、オン方向であった場合には、検知した利用者２の本日に関する吉凶情報を吉凶情報ＤＢ４より取得し（ＳＴ１５０３）、オフ方向であった場合には、検知した利用者２の翌日に関する吉凶情報を吉凶情報ＤＢ４より取得し（ＳＴ１５０４）、取得した吉凶情報から精神的活力活性情報を作成する（ＳＴ１５０５）。さらに、ネットワークサービスシステムサーバ８は、作成した精神的活力活性情報を利用者端末５に送信し（ＳＴ１５０６）、送信した精神的活力活性情報を配信情報ＤＢ７に記憶して（ＳＴ１５０７）、処理を終了する。
【００６４】
図１６は、本発明の実施形態におけるネットワークサービスシステムサーバの機能ブロック図である。
【００６５】
同図は、図７に示すブロック図に対応する。同図において、ネットワークサービスシステムサーバ８は、検知結果をパスゲート３から受信する手段と、検知した利用者２に対する配信情報の有無をチェックする手段と、配信済みの吉凶情報を配信情報ＤＢ７より読み込む手段と、読み込んだ吉凶情報から精神的活力活性情報を作成する手段を有する。
【００６６】
図１７は、本発明の実施形態におけるネットワークサービスシステムサーバの演算部のフローチャートである。
【００６７】
同図は、図１６に示す機能ブロック図に対応する。同図において、ネットワークサービスシステムサーバ８は、利用者２の検知を示す信号を受信すると（ＳＴ１７０１）、利用者２の通過方向はオン方向かオフ方向かを判定し（ＳＴ１７０２）、オフ方向であった場合には、検知した利用者２の翌日に関する吉凶情報を吉凶情報ＤＢ４より取得し（ＳＴ１７０３）、オン方向であった場合には、さらに昨日配信済みの「本日（昨日にとっては翌日）」に関する吉凶情報ありか否かを判定し（ＳＴ１７０４）、あった場合には、配信済みの吉凶情報を配信情報ＤＢ７より取得し（ＳＴ１７０６）、なかった場合には、検知した利用者２の本日に関する吉凶情報を吉凶情報ＤＢ４より取得する（ＳＴ１７０５）。さらに、ネットワークサービスシステムサーバ８は、取得した吉凶情報から精神的活力活性情報を作成し（ＳＴ１７０７）、作成した精神的活力活性情報を利用者端末５に送信し（ＳＴ１７０８）、送信した精神的活力活性情報を配信情報ＤＢ７に記憶して（ＳＴ１７０９）、処理を終了する。
【００６８】
図１８は、本発明の実施形態におけるネットワークサービスシステムサーバの機能ブロック図である。
【００６９】
同図は、図２に示す本発明のコンセプトに対応する。同図において、ネットワークサービスシステムサーバ８は、検知結果をパスゲート３から受信する機能と、検知した利用者２に関する個人属性情報を個人属性情報ＤＢ６より取得する機能と、取得した個人属性情報に対する吉凶情報を吉凶情報ＤＢ４より取得する機能を有する。
【００７０】
図１９は、本発明の実施形態におけるネットワークサービスシステムサーバの演算部のフローチャートである。
【００７１】
同図は、図１８に示す機能ブロック図に対応する。同図において、ネットワークサービスシステムサーバ８は、利用者２の検知を示す信号を受信すると（ＳＴ１９０１）、検知した利用者２に関する個人属性情報を個人属性情報ＤＢ６より取得し（ＳＴ１９０２）、取得した個人属性情報に対する吉凶情報を吉凶情報ＤＢ４から取得し（ＳＴ１９０３）、取得した吉凶情報から精神的活力活性情報を作成し（ＳＴ１９０４）、作成した精神的活力活性情報を利用者端末５に送信し（ＳＴ１９０５）、送信した情報を配信情報ＤＢ７に記憶して（ＳＴ１９０６）、処理を終了する。
【００７２】
なお、図１５〜図１７に相当する個人属性情報に基づく処理（吉凶情報に占いを用いる場合）は、図１８、図１９に同様であるので省略する。
図２０は、本発明の実施形態におけるネットワークサービスシステムサーバの機能ブロック図である。
【００７３】
同図は、外部端末から取得する吉凶情報によって吉凶情報ＤＢに記憶する情報が更新される場合を示す。同図において、ネットワークサービスシステムサーバ８は、新たな吉凶情報が入力される、もしくは新たな吉凶情報を保持する外部端末から新たな吉凶情報を取得する機能、及び取得した吉凶情報を吉凶情報ＤＢ４に記憶する機能を有する。
【００７４】
図２１は、本発明の実施形態におけるネットワークサービスシステムサーバの演算部のフローチャートである。
【００７５】
同図は、図２０に示す機能ブロック図に対応する。同図において、ネットワークサービスシステムサーバ８は、新たな吉凶情報を取得すると（ＳＴ２１０１）、取得した吉凶情報を吉凶情報ＤＢ４に記憶して（ＳＴ２１０２）、処理を終了する。
【００７６】
図２２は、本発明の実施形態における情報配信の具体例を説明するブロック図である。
【００７７】
同図において、パスゲート３は、あらかじめ読取媒体作成装置２８によって作成された利用者端末アドレス読取媒体１９−１によって、利用者２の通過と共に情報配信先となる利用者端末５のアドレスを取得することが出来る。パスゲート３が取得した情報はネットワークサービスシステムサーバ８に送信される。利用者端末アドレス読取媒体１９−１は、ネットワークサービスシステムサーバ８にとって利用者２の有する利用者端末５のネットワーク通信におけるアドレスを取得するための媒体であるが、同時にどの利用者２がパスゲート３と接触したかを知ることが出来るので、利用者検知媒体１９と見なすことが出来る。
【００７８】
図２３は、図２２における読取媒体作成装置を用いた利用者端末アドレス読取媒体の発行方法の具体例を説明するブロック図である。
【００７９】
同図において、利用者２は自らの持つ利用者端末５を直接、読取媒体作成装置２８に接続して、そのアドレス情報５−１をダウンロードするか、自ら確認して読取媒体作成装置２８に入力する。アドレス情報５−１を取得した読取媒体作成装置２８は種々の記憶方式の中から適した方法を用いて、利用者端末アドレス読取媒体１９−１を作成し、出力する。ここで言うところの種々の記憶方式によって作成される記憶媒体とは、例えば磁性体記憶媒体、ＩＣ（集積回路）記憶媒体、及び１次元や２次元のバーコードなどのことを示す。
【００８０】
図２４は、図２３とは別の場合の、ネットワークを介して利用者端末アドレス読取媒体の発行方法の具体例を説明するブロック図である。
【００８１】
同図において、利用者２は自らの持つ利用者端末５のアドレス情報５−１を自ら確認し、ネットワーク９−１を介して読取媒体作成装置２８に接続されるネットワーク端末２９に入力する。アドレス情報５−１を取得した読取媒体作成装置２８は種々の記憶方式の中から適して方法を用いて、利用者端末アドレス読取媒体１９−１を作成し、人手による送付を用いて利用者２の元に届けるか、利用者端末アドレス読取媒体情報１９−２をネットワーク端末２９にダウンロードして、ネットワーク端末２９から出力する。
【００８２】
図２５は、図２４とはさらに別の場合の、ネットワークを介して利用者端末アドレス読取媒体の発行方法の具体例を説明するブロック図である。
【００８３】
同図において、図２４に示すようなネットワーク端末２９を用いず、利用者２は利用者端末５を用いて読取媒体作成装置２８にアドレス情報５−１を送信し、利用者端末アドレス読取媒体情報１９−２を利用者端末５に直接ダウンロードする場合である。こうすることで図２２における利用者端末アドレス読取媒体１９−１の役割を利用者端末５で代用することが出来る。言い換えれば利用者端末５でサーバにアクセスする際の初期設定を済ませたことになる。
【００８４】
図２６は、利用者に関する個人属性情報の取得方法の具体例を説明するブロック図である。
【００８５】
同図において、利用者２は利用者端末５を用いてネットワークサービスシステムサーバ８にアクセスして、ネットワークサービスシステムサーバ８より個人属性情報入力要求２−１を受信し、その要求に従って個人属性情報の入力値２−２を送信する。利用者端末５から個人属性情報を受信したネットワークサービスシステムサーバ８は、その情報を個人属性情報ＤＢ６に記憶する。
【００８６】
図２７は、図２６とは別の場合の利用者に関する個人属性情報の取得方法の具体例を説明するブロック図である。
【００８７】
同図において、読取媒体作成装置で利用者端末アドレス読取媒体１９−１を作成する際に、個人属性情報を書き込んでいる。
【００８８】
図２８は、図２６、図２７とはさらに別の場合の利用者に関する個人属性情報の取得方法の具体例を説明するブロック図である。
【００８９】
同図は、図２６に対応する。同図において、利用者端末５に表示される入力要求に従って、利用者２の入力によって利用者端末５に個人属性情報が記憶される。
【００９０】
図２９は、本発明の実施形態における利用者端末に配信される精神的活力活性情報の具体的な表示例を示す図である。
【００９１】
同図において、利用者２がパスゲートをオン方向へ通過したときにおける（ａ）は吉凶情報がおみくじにおける吉事の場合であり、（ｂ）はおみくじにおける吉凶情報が凶事の場合である。（ａ）において吉凶情報に相当するのが「今日のあなたは大吉です」であり、共感・同調（同意）に相当するのが「こりゃ縁起がいいや！」であり、戒めに相当するのが「ただし、油断は禁物」であり、きっかけ語に相当するのが「よし」であり、激励に相当するのが「今日も一日ガンバルぞ」である。同様に（ｂ）において吉凶情報に相当するのが「今日のあなたは大凶です」であり、悟しに相当するのが「いいこともあれば悪いこともある」であり、慰めに相当するのが「世の中、そんなものさ」である。なお、この図例に示すように、凶事に対して心の備えをするための注意喚起として「おっちょこちょいしないように」などを加えてもよく、同様に吉事に対しても慢心を諌めるための注意喚起を精神的活力活性情報に加えてもよい。
【００９２】
ここで言うところのきっかけ語とは、利用者２の決意を促す「きっかけ」を与える言葉であり、一般に掛け声と言われている言葉（より詳しくは自ら、もしくは相手に何かを踏ん切らせるための掛け声）に類する。図例の「よし」以外には例えば、「さてと、ええっと、えい」などがある。また、ここで言うところの激励とは、いわゆる利用者２の心に芽生えた迷いに対してその背中をちょっと押すタイプの激励に類し、それを聞いた利用者２に例えば「ふーっ。まぁ仕方がないか」などと割り切らせるための言葉であればどんな言い回しでもよい。
【００９３】
図３０は、本発明の実施形態における利用者端末に配信される精神的活力活性情報の具体的な表示例を示す図である。
【００９４】
同図は、図６、図７に示すブロック図に対応する。同図において、（ａ）はオフ方向を検知した場合であり、労をねぎらう言葉が精神的活力活性情報に添えられている。（ｂ）は、前日にオフ方向の情報配信があった翌日のオン方向の場合であり、吉凶情報や精神的活力活性情報が配信済みの情報に基づいて作成されていることを示している。（ｂ）は配信する情報に矛盾をなくし、一貫性を持たせることで、より説得力を増すような配慮となっている。
【００９５】
図３１は、本発明の実施形態における利用者端末に配信される精神的活力活性情報の具体的な表示例を示す図である。
【００９６】
同図において、吉凶情報が利用者２の個人属性情報に基づく、いわゆる占いの場合である。
【００９７】
占いと呼ばれるものには様々なものがあるが、個人の属性情報によって占い結果が分類されて示されることが多く、いわゆる「おみくじ」よりも、いわゆる「占い」の方が自らに向けて出力されたメッセージとして利用者２が受け取りやすい効果がある。自らに向けられたメッセージとして受け止めることは、より注意喚起する効果が期待できるので、いわゆる「転ばぬ先の杖」となりやすい。
【００９８】
図３２は、本発明の実施形態におけるパスゲートの定義を説明するブロック図である。
【００９９】
同図において、パスゲート３はネットワークサービスシステム１と利用者２の接点であり、その人とシステムとの接点となる機能を有すればその種類は問わない。ひとつのパスゲート３で利用者２のオン／オフ方向が特定できなかった場合には、複数のパスゲート３の通過（パスゲート３との接触を含む）によって求めてもよい。以下にパスゲート３の代表例を図により説明する。
【０１００】
図３３は、本発明の実施形態におけるパスゲートの代表例を説明する図である。
【０１０１】
同図において、あるエリアの内外を隔てるゲート（有する機能は、構内への利用者２の入退出を管理する機能であり、実際に扉があるか否かなどの形状は特に問わない）を本発明におけるパスゲートに活用する。図例では、公共交通機関の一種である電鉄の駅に設置される自動改札を示す。
【０１０２】
図３４は、本発明の実施形態におけるパスゲートの代表例を説明する図である。
【０１０３】
同図において、非接触で媒体の情報を読み取る媒体読取装置を本発明におけるパスゲートに活用する。
【０１０４】
図３５は、本発明の実施形態におけるパスゲートの代表例を説明する図である。
【０１０５】
同図において、移動体や施設のステップ上面に設置された媒体読取装置を本発明のパスゲートに活用する。利用者２が必然的に踏む場所の代表例がステップであるが、読取媒体は利用者２の靴、もしくは靴の中に設置するとよい。
【０１０６】
図３６は、本発明の実施形態におけるパスゲートの代表例を説明する図である。
【０１０７】
同図において、利用者２自らが運転をする移動手段（移動体）をパスゲートに活用する。この移動体はネットワークを介してシステムに接続されており、動力源となる例えばエンジンを利用者２が始動する行為が、システムと利用者２がつながったと解釈されるため、利用者２自らが運転をする移動体そのものがパスゲートであるとしてもよい。
【０１０８】
図３７は、図３６におけるパスゲートとなる車載装置とネットワークサービスシステムサーバの演算部のフローチャートである。
【０１０９】
同図において、車搭装置３−４は、移動体の動力源始動を検知すると（ＳＴ３７０１）、移動体のオン／オフ方向は特定できたかを判定し（ＳＴ３７０２）、判定できるまで他の処理をしながら待機し、特定できたら検知情報とオン／オフ方向をネットワークサービスシステムサーバ８に送信する（ＳＴ３７０３）。車搭装置３−４より情報を受信したネットワークサービスシステムサーバ８は、検知した利用者２に対する吉凶情報を吉凶情報ＤＢ４より取得し（ＳＴ３７０４）、取得した吉凶情報から精神的活力活性情報を作成し（ＳＴ３７０５）、作成した情報を利用者端末５（車搭装置３−４）に送信し（ＳＴ３７０６）、送信した情報を配信情報ＤＢ７に記憶して（ＳＴ３７０７）、処理を終了する。ネットワークサービスシステムサーバ８より情報を受信した車搭装置３−４は、ＨＭ出力部に受信した情報を出力して処理を終了する。移動体のオン／オフ方向の特定には、時間帯や移動経路に着目した過去の行動傾向や、現在位置などから求めてもよい。おおよその移動方面が判別した時点で情報配信してもよいし、確定した時点で始めて情報配信してもよい。
【０１１０】
図３８は、本発明の実施形態における利用者端末に配信される精神的活力活性情報の具体的な表示例を示す図である。
【０１１１】
同図において、図２９の（ａ）に対応する表示例のみを示し、他の表示例は同様であるので省略する。
【０１１２】
【発明の効果】
以上記載の本発明によれば、時間的拘束を受ける場所となる、例えば通勤先や通学先へ向かう時（いわゆる通勤・通学時）において、利用者の心に生じる「行きたくないな」などというちょっとした迷いを、人が感覚的に「良いことも悪いこともある」と思える吉凶情報に基づいて、「（世の中というものは、結局）そういうものだ」というメッセージを込めた情報である精神的活力活性情報を作成し、利用者の有する端末に配信することによって、断つことが出来る。
【０１１３】
つまり、利用者は現実逃避とも言える、この心に生じるちょっとした迷いを感じていても、やはり現実逃避してはいけないことは十分わかっていることが多い。そこで、迷いが生じやすい時間帯であるオン方向への利用者の通過をパスゲートによって検知したネットワークサービスシステムは、人が感覚的に「いいことも悪いこともある」と思える吉凶情報に基づいて、精神的活力活性情報を作成し、利用者の有する利用者端末に配信する。精神的活力活性情報は、このような迷いを感じた利用者が心のどこかで思う「誰かに背中を押してほしい」と気持ちに配慮したメッセージを込めた情報のことであり、この情報を受け取った利用者が「（世の中というものは、結局）そういうものだ」などと割り切る「きっかけ」となる。この割り切りによって利用者は精神的にタフな状態となるので、結果として利用者の精神的活力を活性化させることが出来る。
【０１１４】
さらに、人は挫けやすいものであるので、活力を消耗した時には、まずその（活力を消耗した行為への）労をねぎらう言葉を加えて、翌日の精神的活力活性情報を配信することで、利用者は明日への精神的備えをすることが出来る。
【図面の簡単な説明】
【図１】本発明のコンセプトを説明するブロック図
【図２】本発明のコンセプトを説明するブロック図
【図３】本発明の実施形態におけるオン方向の定義を説明する図
【図４】本発明の実施形態を補足するための利用者の心理モデルを説明するブロック図
【図５】本発明の実施形態におけるオン方向とオフ方向のそれぞれに対する精神的活力活性情報の違いを説明するブロック図
【図６】本発明の実施形態におけるオン方向とオフ方向のそれぞれに対する配信情報の違いを説明するブロック図
【図７】本発明の実施形態における前日のオフ方向に対する情報配信があった場合のオン方向の精神的活力活性情報の配信を説明するブロック図
【図８】本発明の実施形態における吉凶情報から精神的活力活性情報の作成の仕方の具体例を説明するブロック図
【図９】本発明のコンセプトを実現するシステムの全体図を説明するブロック図
【図１０】本発明の実施形態におけるネットワークサービスシステムサーバのハードブロック図
【図１１】本発明の実施形態におけるパスゲートのハードブロック図
【図１２】本発明の実施形態における利用者の有する利用者端末のハードブロック図
【図１３】本発明の実施形態におけるパスゲート、ネットワークサービスシステムサーバ、及び利用者端末の機能ブロック図
【図１４】本発明の実施形態におけるパスゲート、ネットワークサービスシステムサーバ、及び利用者端末の演算部のフローチャート
【図１５】本発明の実施形態におけるネットワークサービスシステムサーバの演算部のフローチャート
【図１６】本発明の実施形態におけるネットワークサービスシステムサーバの機能ブロック図
【図１７】本発明の実施形態におけるネットワークサービスシステムサーバの演算部のフローチャート
【図１８】本発明の実施形態におけるネットワークサービスシステムサーバの機能ブロック図
【図１９】本発明の実施形態におけるネットワークサービスシステムサーバの演算部のフローチャート
【図２０】本発明の実施形態におけるネットワークサービスシステムサーバの機能ブロック図
【図２１】本発明の実施形態におけるネットワークサービスシステムサーバの演算部のフローチャート
【図２２】本発明の実施形態における情報配信の具体例を説明するブロック図
【図２３】図２２における読取媒体作成装置を用いた利用者端末アドレス読取媒体の発行方法の具体例を説明するブロック図
【図２４】図２３とは別の場合の、ネットワークを介して利用者端末アドレス読取媒体の発行方法の具体例を説明するブロック図
【図２５】図２４とはさらに別の場合の、ネットワークを介して利用者端末アドレス読取媒体の発行方法の具体例を説明するブロック図
【図２６】利用者に関する個人属性情報の取得方法の具体例を説明するブロック図
【図２７】図２６とは別の場合の利用者に関する個人属性情報の取得方法の具体例を説明するブロック図
【図２８】図２６、図２７とはさらに別の場合の利用者に関する個人属性情報の取得方法の具体例を説明するブロック図
【図２９】本発明の実施形態における利用者端末に配信される精神的活力活性情報の具体的な表示例を示す図
【図３０】本発明の実施形態における利用者端末に配信される精神的活力活性情報の具体的な表示例を示す図
【図３１】本発明の実施形態における利用者端末に配信される精神的活力活性情報の具体的な表示例を示す図
【図３２】本発明の実施形態におけるパスゲートの定義を説明するブロック図
【図３３】本発明の実施形態におけるパスゲートの代表例を説明する図
【図３４】本発明の実施形態におけるパスゲートの代表例を説明する図
【図３５】本発明の実施形態におけるパスゲートの代表例を説明する図
【図３６】本発明の実施形態におけるパスゲートの代表例を説明する図
【図３７】図３６におけるパスゲートとなる車載装置とネットワークサービスシステムサーバの演算部のフローチャート
【図３８】本発明の実施形態における利用者端末に配信される精神的活力活性情報の具体的な表示例を示す図
【符号の説明】
２  利用者
３  パスゲート
４  吉凶情報ＤＢ
５  利用者端末
６  個人属性情報ＤＢ
７  配信情報ＤＢ
８  ネットワークサービスシステムサーバ
９  ネットワーク
【図１】
0003548828.tif 000002
【図２】
0003548828.tif 000003
【図３】
0003548828.tif 000004
【図４】
0003548828.tif 000005
【図５】
0003548828.tif 000006
【図６】
0003548828.tif 000007
【図７】
0003548828.tif 000008
【図８】
0003548828.tif 000009
【図９】
0003548828.tif 000010
【図１０】
0003548828.tif 000011
【図１１】
0003548828.tif 000012
【図１２】
0003548828.tif 000013
【図１３】
0003548828.tif 000014
【図１４】
0003548828.tif 000015
【図１５】
0003548828.tif 000016
【図１６】
0003548828.tif 000017
【図１７】
0003548828.tif 000018
【図１８】
0003548828.tif 000019
【図１９】
0003548828.tif 000020
【図２０】
0003548828.tif 000021
【図２１】
0003548828.tif 000022
【図２２】
0003548828.tif 000023
【図２３】
0003548828.tif 000024
【図２４】
0003548828.tif 000025
【図２５】
0003548828.tif 000026
【図２６】
0003548828.tif 000027
【図２７】
0003548828.tif 000028
【図２８】
0003548828.tif 000029
【図２９】
0003548828.tif 000030
【図３０】
0003548828.tif 000031
【図３１】
0003548828.tif 000032
【図３２】
0003548828.tif 000033
【図３３】
0003548828.tif 000034
【図３４】
0003548828.tif 000035
【図３５】
0003548828.tif 000036
【図３６】
0003548828.tif 000037
【図３７】
0003548828.tif 000038
【図３８】
0003548828.tif 000039